(57)【特許請求の範囲】
【請求項１】
電磁プローブネットワーク（１００）と被検体（２００）との相対的な位置を調整する装置（３００）であって、
少なくとも２つの自由度に亘る該被検体（２００）及び電磁プローブネットワーク（１００）の相対運動手段を備え、
上記相対運動手段は、上記被検体（２００）又はプローブネットワーク（１００）を移動させるスライド手段（３０１）を備え、
上記スライド手段（３０１）は、第１のスライド方向に延び且つ第１のスライドパレット（３１４）が第１のスライド方向に移動可能に配置された第１のガイドアセンブリと、第１のスライド方向に垂直な第２のスライド方向に延び且つ第２のスライドパレット（３３４）が第２のスライド方向に移動可能に配置された第２のガイドアセンブリとを備え、
上記被検体（２００）の周囲又は前方における電磁場を測定するときに上記プローブネットワーク（１００）を用いた空間分布のオーバーサンプリングを実行するために、上記相対運動によって上記２つの自由度における測定ポイントを増加させることが可能であることを特徴とする装置。
【請求項２】
請求項１記載の装置であって、
上記被検体（２００）及び電磁プローブネットワーク（１００）の相対運動手段は、異なる面の下において上記被検体のオーバーサンプリングを完了する又は該被検体を表すのに用いられる第３の自由度を有していることを特徴とする装置。
【請求項３】
請求項１又は２記載の装置であって、
被検体（２００）とプローブネットワーク（１００）とを主回転軸周りに相対的に回転させる手段（３２０）を備えることを特徴とする装置。
【請求項４】
請求項３記載の装置であって、
上記回転手段（３２０）は、上記スライド手段（３０１）から離れていることを特徴とする装置。
【請求項５】
請求項３記載の装置であって、
上記スライド手段（３０１）及び回転手段（３２０）は、互いに重なっていることを特徴とする装置。
【請求項６】
請求項１〜５のいずれか１項記載の装置であって、
上記第２のスライドパレット（３３４）は、上記被検体（２００）又は電磁プローブネットワーク（１００）を受けることを特徴とする装置。
【請求項７】
請求項３記載の装置であって、
上記回転手段（３２０）は、上記第１及び第２のガイドアセンブリと垂直な主回転軸周りに回転させることを特徴とする装置。
【請求項８】
請求項３記載の装置であって、
１組のシリンダ、及び／又は、スライド運動及び／又は回転運動を実現することが可能な電気モータを備えることを特徴とする装置。
【請求項９】
請求項８記載の装置であって、
スライド運動、及び／又は、回転運動のデジタル方式のプログラミング手段を備えることを特徴とする装置。
【請求項１０】
請求項８記載の装置であって、
ヘキサポッドを備える１組のシリンダが配置されていることを特徴とする装置。
【請求項１１】
請求項８〜１０のいずれか１項記載の装置であって、
リアルタイムで運動を補正する光学方式の検知手段を備えることを特徴とする装置。
【請求項１２】
電磁プローブネットワーク（１００）を備えた被検体（２００）の少なくとも１つの電磁波特性を測定する装置であって、
上記被検体（２００）と請求項１〜１１のいずれか１項に係る前記プローブネットワーク（１００）との相対的な位置を調整する装置をさらに備えることを特徴とする装置。
【請求項１３】
請求項１２記載の装置であって、
電磁プローブネットワーク（１００）が球体状のプローブネットワークであることを特徴とする装置。
【請求項１４】
請求項１２記載の装置であって、
電磁プローブネットワーク（１００）は、直線状又は平面状、円弧アーチ又は円弧アーチ形状の一部、又は球体キャップの一部又は円柱キャップ形状のプローブネットワークであることを特徴とする装置。
【発明の詳細な説明】
【技術分野】
【０００１】
本発明は、被検体の電磁波に関連する少なくとも一つの大きさを測定する装置の技術分野に関する。
【背景技術】
【０００２】
被検体の電磁波の空間分布を測定するために、被検体の周囲に置かれた円弧アーチ、アーチの一部、球体、球体の一部（球体のキャップ）又は円柱の一部（円柱のキャップ）、並びに、被検体の前方に置かれた直線上又は平面上に割り振られたプローブネットワークという形式の装置を用いることがすでに提案されている。
【０００３】
このタイプの装置は、アーチ又は球体の相対回転軸の周りに配置された連続面内の被検体及び該被検体を取り囲んでいる球体又は球体の一部に亘る被検体の電磁波を測定するために、プローブの上記アーチ、アーチの一部、球体、又は球体の一部と、被検体とを上記アーチ又は球体の直径に一致する軸の周りに相対回転させる手段を備えることで知られている。
【０００４】
また、被検体の周囲にある円柱又は円柱の一部の周りの電磁波を測定するために、アーチ、アーチの一部又は円柱の一部の形のプローブネットワークを利用して、プローブネットワークの平面に対して垂直な上記被検体の相対運動を生じさせることも知られている。
【０００５】
また、被検体の周囲にある円柱の周りの電磁波を測定するために、直線状のラインからなるプローブネットワークを利用して該プローブネットワークに平行な軸周りの回転によって被検体の相対運動を生じさせることも知られている。
【０００６】
また、被検体の前方の平面上における電磁波を測定するために、直線上又は平面上のプローブネットワークを利用してプローブネットワークに平行な平面上の被検体を移動させることも知られている。
【発明の概要】
【発明が解決しようとする課題】
【０００７】
しかしながら、これら球面座標における測定、円柱座標における測定又は平面座標における測定に用いられるアーチ、球体、直線又は平面方式のプローブネットワークを備えた装置は、ネットワーク内のプローブの配置による不連続な測定勾配に関係する限界を有している。
【０００８】
所定の周波数におけるアンテナを測定するのに必要な測定ポイントの数は、電磁波源のサイズ及び測定周波数における波長（λ）に直接的に関係する。例えば、球体又は円柱形状における測定において、上記アーチ、アーチの一部、球体、球体の一部又は円柱の一部に沿う必要な測定ポイントの数を決定するための異なるサンプリング基準がある。最もよく知られているサンプリング基準は、電磁波源の周りの最小の球体上の抽出ポイント間の最小距離λ/2で与えられ、該球体は直径Ｄの最小の球体であって、その中心は上記ネットワークの中心に一致する。これはネットワークの測定プローブ間のλ/Dの角度間隔に一致する。同様に、平面形状において測定するために、サンプリング基準は、電磁波源の前方における平面上の抽出ポイント間の最小距離λ/2によって与えられる。これは、λ/2に等しいネットワークの測定プローブ間の間隔に一致する。
【０００９】
したがって、上記プローブネットワークの利用は、そのサイズ、その数及び測定プローブの間隔が物理的に制限されているので、所定の周波数において、電磁場が測定される被検体の寸法に制限を課し、被検体の所定の寸法において、測定可能な最大限の周波数に制限を課す。
【００１０】
これら不利な点を克服するために、測定技術の分野においてプローブのアーチを利用する装置が提案されており、該装置は、軸周りを回転することによって、上記プローブネットワーク及び被検体を互いに傾斜するように並置させて該プローブネットワーク及び被検体を相対傾斜させ、該プローブネットワーク及び被検体のいくつかの相対角度位置における測定を可能にする手段を備えている。
【００１１】
このように、プローブネットワーク及び被検体の各相対位置において、アーチ平面における測定ポイントの数が増加する。従って、対象物の測定された所定の寸法において、上記装置は、測定可能な最大限の周波数を増やすことができる。同様に、所定の測定周波数において、アーチの平面において見られるように被検体の寸法を増やすことができる。
【００１２】
本発明の一つの目的は、プローブネットワークと被検体との相対位置を調整する装置であって、抽出する測定ポイントの数をさらに増やすことができる装置を提案することである。
【００１３】
本発明のもう一つの目的は、プローブネットワークと被検体との相対位置を調整する装置であって、電磁波の空間分布を測定可能な被検体のサイズに関して所定のプローブネットワークを著しく拡大できる一方、抽出容量を無制限に維持できる装置を提案することである。
【００１４】
本発明の更なる目的は、プローブネットワークと被検体との相対位置を調整する装置であって、より高い周波数領域において大きいサイズの被検体の電磁波を測定できると共に、プローブ数を減少させることが可能な装置を提案することである。
【００１５】
本発明の更にもう一つの目的は、プローブネットワークと被検体との相対位置を調整する装置であって、実装が容易で、測定装置のプローブネットワークの方式に関係なく利用することができる装置を提案することである。
【課題を解決するための手段】
【００１６】
これらの目的は、プローブネットワークと被検体との相対位置を調整する装置であって、少なくとも２つの自由度に亘る該被検体及び電磁プローブネットワークの相対運動手段を備え、該被検体の周囲又は前方における電磁場を測定するときに上記プローブネットワークを用いた空間分布のオーバーサンプリングを実行するために、この相対運動によって上記２つの自由度における測定ポイントを増加させることが可能であることを特徴とする装置を用いて達成される。
【００１７】
好ましくは、上記被検体及び電磁プローブネットワークの相対運動手段は、異なる面の下における被検体のオーバーサンプリングを完了する又は該被検体を表すのに用いられる第３の自由度を有している。
【００１８】
特定の実施形態として、上記装置は、上記被検体又はプローブネットワークを少なくとも１つのスライド方向に移動させるスライド手段と、被検体とプローブネットワークとを主回転軸周りに相対的に回転させる手段とを備えている。
【００１９】
上記回転手段は、上記スライド手段から離れていてもよい。
【００２０】
変形例として、上記スライド手段及び回転手段は、重なっていてもよい。
【００２１】
本発明の他の特徴、目的及び利点は、もっぱら例証であって限定されず、添付の図面に関連して解釈される以下の詳細な説明によって明らかになるであろう。
【図面の簡単な説明】
【００２２】
【図１】被検体の電磁波を測定する装置であって、電磁プローブネットワークと被検体との相対位置の調整をする装置を示す図である。
【図２】図１に示す電磁プローブネットワークと被検体との相対位置を調整する装置の一参考例の概略図である。
【図３】図１に示す電磁プローブネットワークと被検体との相対位置を調整する装置の他の参考例を示す概略図である。
【図４】図１に示す電磁プローブネットワークと被検体との相対位置を調整する装置の一実施形態を示す概略図である。
【図５】図１に示す電磁プローブネットワークと被検体との相対位置を調整する装置の他の参考例を示す概略図である。
【発明を実施するための形態】
【００２３】
図１は、被検体２００の電磁波の空間分布を測定する測定アンテナ１００を備えることを特徴とする測定装置１０を横方向から視た図である。加えて、装置３００は、測定アンテナネットワーク１００と被検体２００との相対位置の調整に用いられる。
【００２４】
電磁プローブと呼ばれる上記測定アンテナネットワーク１００は、球体１１０にわたって分配されている。
【００２５】
ネットワーク１００は、ｎ通りの測定アンテナによって規定されていることに留意すべきであり、ここでｎは２以上である。
【００２６】
好ましくは、このネットワーク１００は、球体１１０上において、上記測定装置１０の作動周波数帯を広げるために、異なる周波数において作動する幾通りもの電磁プローブを組み合わせている。
【００２７】
限定されない例として、０．４ＧＨｚ〜１８ＧＨｚの周波数帯をカバーする測定を行うために、ネットワーク１００は２通りの電磁プローブを組み合わせている。
【００２８】
電磁波の挙動を測定される被検体２００を支える支持体２０１も図示されている。
【００２９】
この支持体２０１は、本質的に、球体１１０の幾何中心近辺からできるだけ遠くにおいて位置調整装置３００から伸びるアンテナ塔である。
【００３０】
被検体２００は、該被検体２００の方位角を定義するために上記支持体上に配置され、電磁プローブネットワーク１００の球体の中心領域に配置されてもよい。
【００３１】
図１において、上記の電磁プローブの球体ネットワークが固定されている一方、アンテナ塔２０１が球体ネットワーク１００に対して相対運動を可能にする位置調整装置３００上に配置されている。
１．球体状の電磁プローブネットワークと被検体との相対位置を調整する装置
上記球体状の電磁プローブネットワークと被検体２００との相対位置を調整する上記装置３００は、図２〜５に更に詳細に図示されている。
【００３２】
図２に示す変形例において、この装置は円弧状のガイドレール３０１を備え、このガイドレール３０１は、被検体２００と電磁プローブネットワーク１００との相対的なスライドを可能にし、電磁プローブネットワーク１００の直径平面に沿う少なくとも１つのスライド方向において被検体２００又は電磁プローブネットワーク１００を移動させる。この円弧アーチ状のガイドレール３０１は、特に支持体３２１を備えた回転手段３２０を運ぶことができ、この回転手段３２０は、上記レール３０１から任意に分離可能であって、軸方向に回転可能であり、スライド方向に対して垂直な主回転軸の周りに上記被検体及び電磁プローブネットワーク１００を相対的に回転させることができる。
【００３３】
ガイドアークを形成するスライド手段３０１は、上記被検体２００及び球体状の電磁プローブネットワーク１００が互いに傾斜するように被検体２００を電磁プローブネットワーク１００から軸をはずして置くように選択されるのが好ましい。
【００３４】
より正確には、図１に示すように、スライド手段３０１は、被検体２００を上記球体の幾何中心の回りの球体状の電磁プローブネットワーク１００の直径面に亘ってスライドさせることができる。
【００３５】
上記ガイドレール３０１は、スライド方向に延びる２本の平行なガイド壁３１１，３１２によって構成されている。これらガイド壁３１１，３１２は、ガイド手段３１０を形成し、ガイド壁３１１，３１２の間隔及び傾斜を保持するためにベース３１３上に配置されている。
【００３６】
また、スライドパレット３１４が、回転手段３２０を運び、被検体２００を上記ガイド手段３１０に沿って移動させるとともに上記ガイド手段３１０に沿って調整可能な位置に被検体２００を固定することもできる。
【００３７】
これらガイド壁３１１，３１２は、被検体２００が上記球体の幾何中心の周りにおいて角運動できる曲線形状を備えている。
【００３８】
上記ガイド手段の変形例として、上記ガイド壁３１１，３１２は、上記スライドパレット３１４を運ぶ凸形状を受ける凹形状のスライド曲線に置き換えるのが好ましい。
【００３９】
上記スライド手段は、さらに、上記スライドパレット３１４を駆動することが可能な手段３１５を備えるのが好ましい。この手段３１５は、被検体２００を所望の位置に向かうスライド方向において上記ガイドレール３０１に沿って運ぶ。
【００４０】
例えば、これら駆動手段３１５は、ギア、ラック、ウォームネジ、Ｖベルトまたは被検体２００を上記ガイド壁３１１，３１２に沿って移動させる他の電気動力システムを備えている。
【００４１】
また、被検体２００と電磁プローブネットワーク１００との間の相対的な回転を発生させる上記回転手段３２０は、上記スライドパレット３１４上に配置され、該パレット３１４に比べて自由に回転することができる。
【００４２】
被検体２００と電磁プローブネットワーク１００との間の相対的な回転を発生させる上記回転手段３２０は、被検体２００を受けとめる支持体３２１と、該支持体３２１を回転主軸周りに駆動可能な手段とを備えている。
【００４３】
この支持体３２１は、従って、上記電磁プローブネットワーク１００による測定の間に被検体２００を駆動し、その結果、上記支持体３２１は自転する。ギア、Ｖベルト、ウォームねじ、かご又は他のタイプの駆動手段３２２は、上記回転手段３２０でこの目的のために提供される。
【００４４】
当然のことながら、変形例において、被検体２００が携帯電話機であって上記位置調整装置３００上に置かれる一方、上記電磁プローブネットワーク１００が固定されてもよい。この逆も可能であって、上記ネットワークが携帯電話機であって装置３００によって位置調整される一方、被検体が固定された位置にあってもよい。
【００４５】
上記装置の一変形例において、被検体２００及び電磁プローブネットワーク１００のための相対回転手段３２０は、スライドパレット３１４から離れており、スライド手段３０１のそばに置かれた固定台又はスライド手段の下に位置づけされている。回転手段３２０がスライド手段３０１の下にある固定台に置かれた場合、パレット３１４は、支持体３２１にクリアランスを与え、被検体２００を受け止めるとともに、該支持体３２１を自転させる。これの変形例は、被検体２００の支持体３２１の主回転軸が固定される一方、電磁プローブネットワーク１００の上記球体１１０はスライドパレット３１４上に取り付けられ、被検体２００に対して相対的に移動することが可能な携帯電話機である。この逆も可能であり、被検体２００はスライドパレットに取り付けられる一方、プローブネットワークは独立（すなわち分離した）回転軸３０１の周りを回転できるように取り付けられている。
【００４６】
また、上記装置３００の他の変形例は、図３（ａ），３（ｂ）に示すように、被検体２００及び電磁プローブネットワーク１００の相対的なスライド（及び／又は回転）手段３０１が３つの独立した力学的運動（円柱、及び／又は、電気モータのセット）から構成されてもよい。即ち、Ｘ軸に沿う並進運動、Ｚ軸に沿う第２の並進運動及びθ軸周りの回転運動である。Ｘ軸に沿う並進運動とＺ軸に沿う並進運動との組合せによって、図２に示すスライド手段３０１を用いた移動に相当する曲線移動が可能になる一方、θ軸を中心とする回転運動によって回転手段３２０を備えたパレット３１４の方向が維持され、支持体３２１の回転軸がスライド移動による曲線に対して垂直に維持される。この変形例は、上記電磁プローブネットワーク１００のいかなる球体半径１１０にも適用することができるとともに、上記スライド移動の曲線移動をデジタル方式でプログラミングすることができる。これにより、アンテナ塔２０１や被検体２００の位置をリアルタイムで測定することにより、例えばレーザを用いてリアルタイムで移動軌跡を補正することができる。
【００４７】
さらに、上記装置の他の変形例において、被検体２００及び電磁プローブネットワーク１００のための相対スライド手段３０１は、該被検体２００又は電磁プローブネットワーク１００のいずれか一方を、電磁プローブネットワーク１００の１以上の平面に沿った２つの直交するスライド方向に移動させるように設計されている。この平面上にスライド方向に垂直な主回転軸周りに該被検体２００及び電磁プローブネットワーク１００のためのスライド手段３２０が配置されている。
【００４８】
図４に示されているように、上記スライド手段３０１は、上記第１のスライドパレット３１４が載置された第１のスライド方向に延びる２枚の平行なガイド壁３１１，３１２によって特徴づけられる第１のガイド手段３１０と、第２のスライドパレット３２４が載置された第１のスライド方向に垂直な第２のスライド方向に延びる第２のガイド手段３３０（壁３３１，３３２）と、によって構成されてもよい。
【００４９】
上記第１及び第２のアセンブリは、図２に示すように、上記スライド手段３０１に類似する。
【００５０】
さらにまた実施形態において、第１及び第２のアセンブリは、図３に示されているようなスライド手段３０１に類似するように、並列させることによって組み合わされている。
【００５１】
図４の配置を以下に詳述する。
【００５２】
第１のスライドパレット３１４上に、第２のレール３３０が置かれている。従って、上記第１のアセンブリの第１のスライドパレット３１４は、上記ガイド手段３１０に沿った調整位置に上記第１のスライド方向において上記第２のアセンブリを移動させることができる。
【００５３】
これらスライド手段３０１は、被検体２００に、上記球体状の電磁プローブネットワーク１００の幾何中心を中心とする球面の外形を描くように２つの直交する角運動をさせることができる。
【００５４】
上記第２のスライドパレット３３４上において、回転手段３２０の上記支持体は上記電磁プローブネットワーク１００の球体と相対的な被検体２００の回転を可能にするように取り付けられている。
【００５５】
その上、図５に示されるような上記装置３００のもう１つの例として、上記被検体２００及び電磁プローブネットワーク１００の相対スライド手段３０１は、６個の機械的なシリンダ（ヘキサポッドともいう）によって構成されてもよく、図４に示された上記スライド手段３０１によって実現される曲線運動と同等の曲線運動を実現可能である一方、回転手段３２０の軸方向をスライドによる曲線運動に対して垂直になるように維持することができる。この変形例は、上記電磁プローブネットワーク１００の球体のいかなる径に対しても十分に再構成可能であるという利点を有している。さらに、この解決策によって、被検体が置かれている上記アンテナ塔２０１の高さを容易に調節することができる。さらにこの解決策によって、曲線状の移動の変形を増やすことが可能となり、また、この解決策が上記曲線状のスライド軌跡をデジタル方式でプログラミングする可能性と、アンテナ塔２０１又は被検体２００の位置のリアルタイム測定を通じて、例えばレーザーを用いて上記スライド軌跡をリアルタイムで補正する能力とを提供する。
【００５６】
加えて、図１〜４に示された上記装置３００の一つの変形例として、上記電磁プローブネットワーク１００は、携帯電話機であって上記回転手段３２０と一体ではなく、その一方、上記被検体２００は、上記スライド手段３０１から引き離された上記回転手段３２０上の支持体３２１上に置かれ、主回転軸を維持していてもよい。
【００５７】
図１〜４に示された上記装置３００の１つの変形例として、上記被検体２００が携帯電話機であって上記回転手段３２０を組み込んでいない上記位置調整装置３００上に配置されている一方、上記電磁プローブネットワーク１００が、上記スライド手段３０１から切り離されて固定された主回転軸を保持する上記回転手段３２０上の支持体３２１上に配置されている。
【００５８】
２．３次元のオーバーサンプリング
上記被検体２００と電磁プローブネットワーク１００との相対的な位置を調整する装置３００は、電磁場測定の３次元オーバーサンプリングも可能である。
【００５９】
上記レール３１０，３３０上の各スライド移動は、被検体周りの電磁波の上記測定ポイントを増加させ、角度のサンプリングを増やすことができる。
【００６０】
上記レール３１０，３３０上における上記被検体の初期位置から最終位置までのスライドに加えて、上記被検体２００から傾斜する上記電磁プローブネットワーク１００を埋め合わせることもでき、また逆に、被検体２００に関連する電磁プローブネットワーク１００のいくつかの相対的な位置をスキャンすることも可能である。
【００６１】
その結果、各電磁波測定面において、上記電磁プローブネットワーク１００及び被検体２００の間の異なる相対角度の補正に一致する幾通りかの連続的な測定ポイントを得ることができる。
【００６２】
球体状の電磁プローブネットワーク１００を伴って、これら上記電磁プローブネットワーク１００と被検体２００とのオフセット角は、電磁プローブネットワーク１００のピッチ角よりも小さい。
【００６３】
前述のスライド手段３０１は、被検体２００及び電磁プローブネットワーク１００の２つの直交する角運動を可能にし、球体状の電磁プローブネットワーク１００の球面座標における電磁場の測定ポイントを増やす可能性を提供し、オーバーサンプリングの上昇をもたらしている。
【００６４】
主回転軸周りの上記回転手段３２０は、スライド方向に垂直であるが、上記方位角面又は該方位角面に平行な平面において測定ポイントを増やすことができる。
【００６５】
このように、方位角におけるオーバーサンプリングは、上記被検体２００周りの球体全体を測定する３次元の測定ポイントの数を増やす可能性を提供するので、オーバーサンプリングの増加に結びつけることができる。
【００６６】
３．他の形状
ここまで本発明について球体状のプローブネットワークを参照して説明してきた。本発明は、明らかに他のプローブネットワークの形状及び特に直線状若しくは平面状のネットワーク、円弧アーチや円弧アーチの一部に支持されたネットワーク、又は、球体状若しくは円柱状のキャップによって支持されたネットワーク、に適用される。
【００６７】
例えば、直線状のプローブネットワークにおいて、装置３００は、平面座標において電磁波測定のために直線状のスライドを可能にするスライド手段３０１を備える上記電磁プローブネットワーク１００又は被検体２００を配置してもよい。
【００６８】
これらスライド手段３０１は、上記電磁プローブネットワーク１００及び被検体２００を電磁プローブネットワーク１００のピッチ角よりも大きい又は小さいオフセットによって互いに並置させ、そして、電磁プローブネットワーク１００及び被検体２００の相対位置を測定できるように選択されるのが好ましい。
【００６９】
上記ガイド手段３１０は、このレール上に上記位置調整パレット３１４が横に位置づけられ、このレールに沿って上記被検体２００又は電磁プローブネットワーク１００を支えて固定することができる直線状の２本のレール３１１，３１２の形をとる。
【００７０】
上記レール３１１，３１２上の上記電磁プローブネットワーク１００の直線状のスライド移動は、電磁波測定面における測定ポイントを増やすことができるだけでなく、上記被検体２００を測定するカバーされた幾何学的領域を拡大することができる。
【００７１】
上記電磁プローブネットワーク１００の上記ピッチ角よりも大きいオフセット角を伴うスライド移動は、電磁波測定面において、前述のスライド移動と比較して、上記被検体２００をカバーする異なる幾何学的領域を効果的に許容することができる。
【００７２】
一例では、上記電磁プローブネットワーク１００を位置調整する上記装置３００は、上記被検体の前方の平面上を測定するために、固定支持体２０１上に置かれた被検体２００の前方の上記電磁プローブネットワーク１００に直交するように移動される。
【００７３】
もう一つの例では、上記被検体の前方における円柱上を測定するために、上記電磁プローブネットワーク１００の位置を調整する上記装置３００は、上記被検体２００の前方に配置され、上記被検体２００は、上記プローブネットワークに平行な回転軸周りの上記電磁プローブネットワークに関連する上記被検体を回転させる回転手段３２０によって駆動される支持体３２１上に取り付けられたアンテナ塔２０１上に固定されている。
【００７４】
もう一つの例では、上記被検体の前方における極形状のディスク上で測定を実行するために、上記被検体２００の前に回転手段３２０によって回転させる上記電磁プローブネットワーク１００の位置を調整する上記装置３００が固定支持体２０１上に配置されている。
【００７５】
他の変形例では、電磁プローブネットワーク１００が平面状の支持体に亘って配置されてもよい。
【００７６】
上記スライド手段３０１は、２つのアセンブリのレールの断面形状を除く図４に関して表されたスライド手段に類似する。
【００７７】
各アセンブリの一対のレールは、スライド手段３０１又は被検体２００を上記電磁プローブネットワークを形成する２つの直交する方向に直線状に移動させることができる直線形状を有している。
【００７８】
前述の説明は、明らかに球体又は円柱形状を測定する場合に置き換えることができる。
【００７９】
結論として、当業者は、上記電磁プローブネットワーク１００及び被検体２００の相対位置を調整する装置３００を、電磁プローブネットワーク１００の形状に関係なく、測定ポイントを増やすことができ、この故に、球体状の電磁プローブネットワーク１００に関して上記被検体２００周りの測定球体全体に亘って３次元のオーバーサンプリングを実行するように適用できることを容易に理解できる。
【００８０】
また当業者は、プローブネットワーク及び被検体２００の相対位置を調整する装置３００を上記電磁プローブネットワーク１００と比較して被検体２００のより広い幾何学的測定領域の範囲に適用できることも容易に理解できる。
【図１】
0005450614.tif 000002
【図２】
0005450614.tif 000003
【図３】
0005450614.tif 000004
【図４】
0005450614.tif 000005
【図５】
0005450614.tif 000006